(57)【特許請求の範囲】
【請求項１】
遊技領域に設けられて、前面中央部に設けられた横長の大入賞口が一定条件下で開放されて遊技者に有利な状態となる特別入賞装置を備えたパチンコ機において、
前記特別入賞装置は、略板状で遊技盤の表面に取り付けられるものであって中央部に前記大入賞口を覆う開閉扉が嵌め込まれる横長の開口部が開設されて該開口部の左右両外側の裏側に第１結合部及び第２結合部のうちの一方が所定高さ突設されると共に、該裏側の前記第１結合部及び第２結合部の下方に第１取付ボス及び第２取付ボスのうちの一方が突設された取付基板と、
前記取付基板の裏側に取り付けられて前記大入賞口が前面中央部に形成されると共に、該大入賞口の左右両外側に断面略四角形で前記第１結合部及び第２結合部の高さに等しい所定深さの凹部が設けられると共に、前記凹部の下方の前側に取付部が設けられた装置本体と、
前記第２取付ボスが設けられた取付基板に対して前記装置本体を取り付ける際には用いられ、前記第１取付ボスが設けられた取付基板に対して前記装置本体を取り付ける際には用いない取付部材とを備え、
前記装置本体は、前記取付基板が取り付けられる前面側に設けられた各凹部の奥側端面において、前記第１結合部が設けられた取付基板に取り付けられる際に選択される第１貫通孔と所定深さの第１位置決め孔とが該各凹部の奥側端面の左右水平方向内側に上下に配置された第１取付部と、前記第２結合部が設けられた取付基板に取り付けられる際に選択される第２貫通孔と所定深さの第２位置決め孔とが該各凹部の奥側端面の左右水平方向外側に上下に配置された第２取付部とが設けられ、
前記取付部材は、互いに軸ずれして平行に配置されたボス挿入部及び部材取付ボスを有し、
該装置本体は、前記第１結合部が設けられた取付基板に対しては、該第１結合部の裏側端面部の前記第１貫通孔に対向する位置に形成されたビス孔と前記第１位置決め孔に対向する位置に形成された位置決め突起とを前記第１取付部の第１貫通孔と第１位置決め孔にそれぞれ結合させることで位置決めされて取り付けられるとともに、前記第２結合部が設けられた取付基板に対しては、該第２結合部の裏側端面部の前記第２貫通孔に対向する位置に形成されたビス孔と前記第２位置決め孔に対向する位置に形成された位置決め突起とを前記第２取付部の第２貫通孔と第２位置決め孔にそれぞれ結合させることで位置決めされて取り付けられ、更に、前記第１取付ボスが設けられた取付基板に対しては、前記取付部を前記第１取付ボスに結合させることで取り付けられるとともに、前記第２取付ボスが設けられた取付基板に対しては、前記取付部を前記取付部材の前記部材取付ボスに結合させるとともに該取付部材のボス挿入部に前記第２取付ボスを嵌挿して結合させることで取り付けられるようになっていることを特徴とするパチンコ機。
【発明の詳細な説明】
【技術分野】
【０００１】
本発明は、遊技盤の表面に取り付けられる取付基板と装置本体とから構成される特別入賞装置を備えたパチンコ機に関し、特に、該特別入賞装置の装置本体の前面側に取付基板を取り付けるための複数の取付部を設けることにより、特別入賞装置のデザイン変更において、異なる取付基板を同一の装置本体に取り付けることが更に容易に行え、装置本体の共通化を図ると共に、取付基板のデザイン変更の更なる容易化を図ることができるパチンコ機に関するものである。
【背景技術】
【０００２】
従来より、遊技盤の表面に取り付けられる取付基板と装置本体とから構成される特別入賞装置を備えたパチンコ機が種々提案されている。
例えば、特開平１１−３３３０７６号公報に記載されたパチンコ機の変動入賞装置では、遊技盤の表面に取り付ける取付基板と、可動球受部材及び該可動球受部材を打球を受け入れない第１状態又は打球を受け入れ易い第２状態とに変換する電気的駆動源等を設けた装置本体とをそれぞれ別々に形成して一体化させるように構成されている。
【０００３】
これにより、取付基板のデザイン変更が容易に可能となると共に、装置本体の継続使用が可能となって非常に経済的である。
【先行技術文献】
【特許文献】
【０００４】
【特許文献１】特開平１１−３３３０７６号公報
【発明の概要】
【発明が解決しようとする課題】
【０００５】
しかしながら、上述した特開平１１−３３３０７６号公報に記載されたパチンコ機の変動入賞装置においては、前飾板１３は、該前飾板１３の裏面に突設した断面形状が四角形の嵌合筒１４を、装置本体２０の前面側に突出する箱状の球受枠２３の外側に嵌合させることによって取り付けられるため、前飾板１３の裏面に嵌合筒１４を常に突設させなければならず、前飾り板１３の装置本体２０への取り付け部分のデザイン変更ができないという問題がある。また、装置本体２０を遊技盤ａの裏面側に取り付けた後に、前飾り板１３を該遊技盤ａの前面に取り付けなければならず、変動入賞装置１の取り付け作業が煩雑であるという問題がある。
【０００６】
そこで、本発明は、上述した問題点を解決するためになされたものであり、特別入賞装置のデザイン変更において、異なる取付基板を同一の装置本体に取り付けることが容易に行え、装置本体の共通化を図ると共に、取付基板のデザイン変更の更なる容易化を図ることができるパチンコ機を提供することを目的とする。
【課題を解決するための手段】
【０００７】
前記目的を達成するため請求項１に係るパチンコ機は、遊技領域に設けられて、前面中央部に設けられた横長の大入賞口が一定条件下で開放されて遊技者に有利な状態となる特別入賞装置を備えたパチンコ機において、前記特別入賞装置は、略板状で遊技盤の表面に取り付けられるものであって中央部に前記大入賞口を覆う開閉扉が嵌め込まれる横長の開口部が開設されて該開口部の左右両外側の裏側に第１結合部及び第２結合部のうちの一方が所定高さ突設されると共に、該裏側の前記第１結合部及び第２結合部の下方に第１取付ボス及び第２取付ボスのうちの一方が突設された取付基板と、前記取付基板の裏側に取り付けられて前記大入賞口が前面中央部に形成されると共に、該大入賞口の左右両外側に断面略四角形で前記第１結合部及び第２結合部の高さに等しい所定深さの凹部が設けられると共に、前記凹部の下方の前側に取付部が設けられた装置本体と、前記第２取付ボスが設けられた取付基板に対して前記装置本体を取り付ける際には用いられ、前記第１取付ボスが設けられた取付基板に対して前記装置本体を取り付ける際には用いない取付部材とを備え、前記装置本体は、前記取付基板が取り付けられる前面側に設けられた各凹部の奥側端面において、前記第１結合部が設けられた取付基板に取り付けられる際に選択される第１貫通孔と所定深さの第１位置決め孔とが該各凹部の奥側端面の左右水平方向内側に上下に配置された第１取付部と、前記第２結合部が設けられた取付基板に取り付けられる際に選択される第２貫通孔と所定深さの第２位置決め孔とが該各凹部の奥側端面の左右水平方向外側に上下に配置された第２取付部とが設けられ、前記取付部材は、互いに軸ずれして平行に配置されたボス挿入部及び部材取付ボスを有し、該装置本体は、前記第１結合部が設けられた取付基板に対しては、該第１結合部の裏側端面部の前記第１貫通孔に対向する位置に形成されたビス孔と前記第１位置決め孔に対向する位置に形成された位置決め突起とを前記第１取付部の第１貫通孔と第１位置決め孔にそれぞれ結合させることで位置決めされて取り付けられるとともに、前記第２結合部が設けられた取付基板に対しては、該第２結合部の裏側端面部の前記第２貫通孔に対向する位置に形成されたビス孔と前記第２位置決め孔に対向する位置に形成された位置決め突起とを前記第２取付部の第２貫通孔と第２位置決め孔にそれぞれ結合させることで位置決めされて取り付けられ、更に、前記第１取付ボスが設けられた取付基板に対しては、前記取付部を前記第１取付ボスに結合させることで取り付けられるとともに、前記第２取付ボスが設けられた取付基板に対しては、前記取付部を前記取付部材の前記部材取付ボスに結合させるとともに該取付部材のボス挿入部に前記第２取付ボスを嵌挿して結合させることで取り付けられるようになっていることを特徴とする。
【発明の効果】
【０００８】
このような特徴を有する請求項１に係るパチンコ機においては、前面中央部に設けられた横長の大入賞口が一定条件下で開放されて遊技者に有利な状態となる特別入賞装置が遊技領域に設けられている。そして、この特別入賞装置は、略板状で中央部に大入賞口を覆う開閉扉が嵌め込まれる横長の開口部が開設されて遊技盤の表面に取り付けられる取付基板と、前記取付基板の裏側に取り付けられて大入賞口が前面中央部に形成された装置本体とから構成されている。また、取付基板の該開口部の左右両外側の裏側には、第１結合部及び第２結合部のうちの一方が所定高さ突設されると共に、この裏側の第１結合部及び第２結合部の下方には、第１取付ボス及び第２取付ボスのうちの一方が突設されている。また、装置本体の取付基板が取り付けられる前面側には、大入賞口の左右両外側に断面略四角形で第１結合部及び第２結合部の高さに等しい所定深さの凹部が設けられると共に、各凹部の下方の前側には、取付部が設けられている。また、装置本体の各凹部の奥側端面には、第１結合部が設けられた取付基板に取り付けられる際に選択される第１貫通孔と所定深さの第１位置決め孔とが該各凹部の奥側端面の左右水平方向内側に上下に配置された第１取付部と、第２結合部が設けられた取付基板に取り付けられる際に選択される第２貫通孔と所定深さの第２位置決め孔とが該各凹部の奥側端面の左右水平方向外側に上下に配置された第２取付部とが設けられている。そして、装置本体は、第１結合部が設けられた取付基板に対しては、該第１結合部の裏側端面部の第１貫通孔に対向する位置に形成されたビス孔と第１位置決め孔に対向する位置に形成された位置決め突起とを第１取付部の第１貫通孔と第１位置決め孔にそれぞれ結合させることで、この取付基板の裏側に位置決めされて取り付けられる。また、装置本体は、第２結合部が設けられた取付基板に対しては、該第２結合部の裏側端面部の第２貫通孔に対向する位置に形成されたビス孔と第２位置決め孔に対向する位置に形成された位置決め突起とを第２取付部の第２貫通孔と第２位置決め孔にそれぞれ結合させることで、この取付基板の裏側に位置決めされて取り付けられる。更に、装置本体は、第１取付ボスが設けられた取付基板に対しては、取付部を第１取付ボスに結合させることで、この取付基板の裏側に取り付けられる。また、装置本体は、第２取付ボスが設けられた取付基板に対しては、取付部を取付部材の部材取付ボスに結合させるとともに、該取付部材のボス挿入部に第２取付ボスを嵌挿して結合させることで、この取付基板の裏側に取り付けられる。
これにより、特別入賞装置の装置本体の前面側には、取付基板を取り付けるために大入賞口の左右両外側に断面略四角形で所定深さの凹部を設け、各凹部の奥側端面の左右水平方向内側に第１貫通孔及び第１位置決め孔を上下に配置すると共に、左右水平方向外側に第２貫通孔及び第２位置決め孔を上下に配置し、更に、各凹部の下方に取付部を設ける。そして、取付基板の開口部の左右両外側の裏側には、この第１貫通孔と第１位置決め孔にそれぞれ結合されるビス孔と位置決め突起が裏側端面部に形成された第１結合部、又は、第２貫通孔と第２位置決め孔にそれぞれ結合されるビス孔と位置決め突起が裏側端面部に形成された第２結合部のうちのいずれか一方を突設すると共に、第１結合部又は第２結合部の下方に、装置本体の前面側に設けられた取付部に取り付けられる第１取付ボスと、取付部材のボス挿入部に嵌挿される第２取付ボスとのうちのいずれか一方を突設すればよい。このため、特別入賞装置を構成する取付基板のデザイン変更において、該取付基板の裏面に突設される第１結合部又は第２結合と、第１取付ボス又は第２取付ボスとの設計変更を容易に行えると共に、特別入賞装置を構成する装置本体の共通化を図ることができ、パチンコ機の製造コストの削減化を図ることができる。
【図面の簡単な説明】
【０００９】
【図１】第１実施形態に係るパチンコ機の全体を示した正面図である。
【図２】第１実施形態に係るパチンコ機の遊技領域を示した正面図である。
【図３】第１実施形態に係るパチンコ機の特別入賞装置に異なる取付基板（第２取付基板）が取り付けられた場合の遊技領域を示した正面図である。
【図４】第１実施形態に係るパチンコ機の各特別入賞装置を構成する装置本体を示す図で、（Ａ）は上面図、（Ｂ）は正面図である。
【図５】第１実施形態に係るパチンコ機の第１特別入賞装置の前面部に取り付けられる第１取付基板の概略構成を示す図で、（Ａ）は上面図、（Ｂ）は正面図、（Ｃ）は背面図である。
【図６】第１実施形態に係るパチンコ機の第２特別入賞装置の前面部に取り付けられる第２取付基板の概略構成を示す図で、（Ａ）は上面図、（Ｂ）は正面図、（Ｃ）は背面図である。
【図７】第１実施形態に係るパチンコ機の第１及び第２特別入賞装置の装置本体への第１及び第２取付基板の取り付けを模式的に示す図である。
【図８】第１実施形態に係るパチンコ機の第１及び第２特別入賞装置の組み立て及び遊技盤への取り付けを模式的に示す要部拡大断面図で、（Ａ）は第１特別入賞装置の場合、（Ｂ）は第２特別入賞装置の場合を示す要部拡大断面図である。
【図９】第２実施形態に係るパチンコ機の第３特別入賞装置を構成する第３取付基板の構成を示す図で、（Ａ）は上面図、（Ｂ）は背面図である。
【図１０】第２実施形態に係るパチンコ機の第３特別入賞装置を構成する第３取付基板と装置本体との間に装着される取付部材の構成を示す図で、（Ａ）は上面図、（Ｂ）は正面図である。
【図１１】第２実施形態に係るパチンコ機の第３特別入賞装置の装置本体への第３取付基板の取り付けを模式的に示す図である。
【発明を実施するための形態】
【００１０】
以下、本発明に係るパチンコ機について、具体化した第１及び第２実施の形態を図面を参照して詳細に説明する。
先ず、第１実施形態に係るパチンコ機の全体構成について図１乃至図３に基づき説明する。図１は第１実施形態に係るパチンコ機の全体を示した正面図である。図２は第１実施形態に係るパチンコ機の遊技領域を示した正面図である。図３は第１実施形態に係るパチンコ機の特別入賞装置に異なる取付基板（第２取付基板）が取り付けられた場合の遊技領域を示した正面図である。
【００１１】
図１において、パチンコ機１は、いわゆる第一種パチンコ機である。パチンコ機１は、後述する入賞口、特別図柄表示装置、電動役物及び、ゲート等の各種構造物が遊技盤２上に配設されている。その遊技盤２の下には、賞球払出装置（不図示）を介して払い出される賞球を受ける上皿３がスピーカ３Ａを内蔵してプレート４に配設されている。そして、その上皿３の下には、下皿５が配設される。また、上皿３に連通する不図示の球送り機構を介して上皿３のパチンコ球が操作ハンドル６に連結された不図示の発射装置へ送られるよう構成されている。また、遊技盤２の裏面には特別図柄表示装置や不図示の賞球の払い出しに係る制御等を行う主基板及び賞球制御基板等が設けられている。また、遊技盤２の両肩部には、賞球及び球切れ表示ランプ１０、１０が設けられている。
【００１２】
一方、遊技盤２の前側は、鋼板やステンレス等の金属製のガラス扉９により被覆されており、このガラス扉９は、枠体の前側にヒンジ部材等を介して開閉自在に取り付けられている内枠に開閉自在に取り付けられている。また、ガラス扉９には開口部を有する鋼板やステンレス等の金属製のガラス保持枠がスポット溶接等により固着されており、かかるガラス保持枠に装着された２枚のガラスを通して遊技領域を見ることができる。また、ガラス扉９の上部には、遊技中のエラーを表示するエラー表示ランプ７や、「当たり」を表示する当たり表示ランプ８、８が取り付けられている。
【００１３】
次に、図２において、パチンコ機１における遊技盤２上の遊技領域の構成について説明する。この遊技領域１１は、所定厚さの板材をなした遊技盤２上に入賞口などの各構造物が配設され、それを囲むように環状のレール１２が立設されて構成されている。このレール１２は、発射されたパチンコ球を遊技領域１１内に案内する重複して形成した案内路１３を構成し、右肩部にはレール１２に沿って打ち込まれるパチンコ球の進行を制限するための段差部１４を有する。
【００１４】
遊技領域１１のほぼ中央には、開口部が開設され、この開口部の前面側に特別図柄表示装置１８が配設されている。特別図柄表示装置１８には、液晶表示器１９が遊技盤２の裏面側から取り付けられている。この液晶表示器１９は、左、中、右に３つの変動図柄を表示する液晶パネルであって、右下角部には、左右に２分割された普通図柄を表示する普通図柄表示部２０が構成されている。そして、液晶表示器１９の上側には、座っている蛙のキャラクタの図柄が描かれている。
一方、特別図柄表示装置１８の左右には飾り風車２３、２４が設けられている。また、各飾り風車２３、２４と特別図柄表示装置１８の間には通常の風車２５、２６が設けられ、特別図柄表示装置１８の両肩側には電飾ランプ付きの風車２７、２８が設けられている。
【００１５】
また、特別図柄表示装置１８の直下には、第１始動口３１が配設され、この第１始動口３１の左右には各ゲート３２、３３が配設されている。この第１始動口３１には、パチンコ球の入賞を検出する第１始動口スイッチ（不図示）が設けられ、パチンコ球の入賞を検出することで液晶表示器１９に表示されている特別図柄が変動する。そして、特別図柄が変動中に第１始動口３１に入賞した場合には、入賞個数が４個まで主基板に設けられるＲＡＭ（不図示）に記憶されて変動確定回数として保留される。そして、このＲＡＭに記憶されているカウント値を表示する第１保留ＬＥＤ３４が、液晶表示器１９の両肩部に各々２個ずつ配置されている。
【００１６】
また、各ゲート３２、３３にはパチンコ球の通過を検出するゲートスイッチ（不図示）が備えられており、パチンコ球の通過を検出することで普通図柄表示部２０の普通図柄が変動する。そして、普通図柄が変動中に各ゲート３２、３３に通過した場合には、通過個数が４個まで主基板に設けられるＲＡＭ（不図示）に記憶されて変動確定回数として保留される。そして、このＲＡＭに記憶されているカウント値を表示する第２保留ＬＥＤ３５が、液晶表示器１９の上側に左右水平方向に４個配置されている。
【００１７】
そして、第１始動口３１、各ゲート３２、３３の下側には、第２開口部２Ａ（図８参照）が開設され、この第２開口部２Ａの前面側に後述の第１特別入賞装置４１が配設されている（図７、図８参照）。この第１特別入賞装置４１は、大入賞口４０の前面部を覆う横幅が広い上方に開口する第１開閉扉３９と、この大入賞口４０の下側に形成される第２始動口３８の前面部を覆う第２開閉扉３７と、この第１特別入賞装置４１を構成する後述の装置本体５１の前面部に取り付けられた後（図８（Ａ）参照）、遊技盤２の表面にビス等で取り付けられる第１取付基板４５とによって前面部が覆われている。また、この各開閉扉３９、３７は、装置本体５１の前面部に取り付けられている。そして、第１取付基板４５の第１開閉扉３９に対向する位置には横幅が広い長四角形の開口部４５Ａが形成され、その下側に第２開閉扉３７に対向する位置には略四角形の開口部４５Ｂが形成されている。更に、この開口部４５Ａの左右両側には上方に開口する各入賞口４５Ｃ、４５Ｄが前面側に突出して形成されている。
また、この第２始動口３８には、パチンコ球の入賞を検出する第２始動口スイッチ（不図示）が設けられ、パチンコ球の入賞を検出することで液晶表示器１９に表示されている特別図柄が変動する。そして、特別図柄が変動中に第２始動口３８に入賞した場合には、入賞個数が４個まで主基板に設けられるＲＡＭに記憶されて変動確定回数として保留される。
【００１８】
また、このような第１特別入賞装置４１の両側上方には電飾ランプが施された下入賞口４２、４３が配設されて遊技盤２裏面の不図示の賞球樋に連通され、この下入賞口４２、４３への入賞を検出する下入賞口スイッチ（不図示）が設けられている。また、第１特別入賞装置４１の直下にはレール１２に沿ってアウト口４４が開設されている。更に、レール１２に囲まれたこのような遊技領域１１には、前記各構成物とともに複数の釘（不図示）が打設されてパチンコ球の複雑な流路を構成している。
【００１９】
次に、図３に基づいて、上記装置本体５１の前面部に異なる取付基板（第２取付基板）が取り付けられた特別入賞装置が配設される遊技盤２上の遊技領域の構成について説明する。図３に示すように、遊技領域１１の構成は、第１特別入賞装置４１が配設される場合とほぼ同じ構成である。但し、第１始動口３１、各ゲート３２、３３の下側には、第２開口部の前面側に後述の第２特別入賞装置４６が配設されている（図７、図８参照）。この第２特別入賞装置４６は、上述の装置本体５１の前面部に第２取付基板４７が取り付けられて、前面部が覆われ、遊技盤２の表面にビス等で取り付けられている。
また、この第２取付基板４７の横幅寸法は、第１取付基板４５の横幅寸法よりも短く形成され、左右両端部は、第１取付基板４５よりもやや丸く形成されている。また、第２取付基板４７の第１開閉扉３９に対向する位置には横幅が広い長四角形の開口部４７Ａが形成され、その下側に第２開閉扉３７に対向する位置には略四角形の開口部４７Ｂが形成されている。また、この開口部４７Ａの左右両側には上方に開口する各入賞口４７Ｃ、４７Ｄが突出して形成されている。
【００２０】
次に、各特別入賞装置４１、４６を構成する装置本体５１について図４に基づいて説明する。図４は第１実施形態に係るパチンコ機１の各特別入賞装置４１、４６を構成する装置本体５１を示す図で、（Ａ）は上面図、（Ｂ）は正面図である。
図４に示すように、装置本体５１は、前面中央部の上側に大入賞口４０が形成されると共に、下側にパチンコ球が１個通過できる大きさの第２始動口３８が形成されている。また、大入賞口４０の左右下側角部には、凹部５２、５３が形成され、第１開閉扉３９の左右下側角部に外側に突き出して形成される各回転支軸が回転可能に嵌め込まれている。この第１開閉扉３９は、大入賞口４０の右奥側に配設される第１ソレノイド５４によって不図示の押え部材を介して開閉駆動される。また、第２始動口３８の左右下側には、凹部が形成され、第２開閉扉３７の左右下側角部に外側に突き出して形成される各回転支軸が回転可能に嵌め込まれている。この第２開閉扉３７は、大入賞口４０の左奥側に配設される第２ソレノイド５５によって不図示の押え部材を介して開閉駆動される。
【００２１】
また、大入賞口４０の左右外側には、断面略四角形の各凹部５６、５７が設けられている。この各凹部５６、５７の奥側端面の上部には、各々左右水平方向に２個の貫通孔５６Ａ、５６Ａ、５７Ａ、５７Ａが所定幅寸法で穿設されると共に、各貫通孔５６Ａ、５６Ａ、５７Ａ、５７Ａの下側には、各々左右水平方向に２個の所定深さの位置決め孔５６Ｂ、５６Ｂ、５７Ｂ、５７Ｂが設けられている（図８参照）。
【００２２】
また、各凹部５６、５７の左右外側には、各入賞口４５Ｃ、４５Ｄ、４７Ｃ、４７Ｄへの入賞球を遊技盤２裏面の不図示の賞球樋に案内する案内部が形成されている。
【００２３】
また、各凹部５６、５７の下方には、各凹部５８、５９が形成され、この各凹部５８、５９の奥側端面の下端部近傍位置には、各貫通孔５８Ａ、５９Ａが穿設されている。また、各凹部５８、５９の略中央部と上方角部には、電飾用の各ＬＥＤ６２、６２、６２、６２が設けられている。
尚、各凹部５６、５７、５８、５９の奥側端面に形成される各貫通孔５６Ａ、５６Ａ、５７Ａ、５７Ａ、５８Ａ、５９Ａ及び各位置決め孔５６Ｂ、５６Ｂ、５７Ｂ、５７Ｂは、後述のように各取付基板４５、４７が取り付けられる取付部を構成する（図８参照）。
【００２４】
次に、第１取付基板４５の概略構成について図５に基づいて説明する。図５は第１実施形態に係るパチンコ機１の第１特別入賞装置４１の前面部に取り付けられる第１取付基板４５の概略構成を示す図で、（Ａ）は上面図、（Ｂ）は正面図、（Ｃ）は背面図である。
図５に示すように、略板状の第１取付基板４５の中央部上側には、第１開閉扉３９が嵌め込まれる開口部４５Ａが開設され、この開口部４５Ａの下端縁部中央位置の下側には、第２開閉扉３７が嵌め込まれる開口部４５Ｂが開設されている。
また、第１取付基板４５の裏面側には、開口部４５Ａの下側角部の左右外側に、第１開閉扉３９の各回転支軸を押さえる押え部６５、６５が突設されている。
【００２５】
また、第１取付基板４５の裏面側には、開口部４５Ａの上側角部の左右外側に、装置本体５１の各凹部５６、５７の深さ寸法にほぼ等しい高寸法の各取付ボス６６、６７が裏側方向に突設されている。この各取付ボス６６、６７は、装置本体５１の各凹部５６、５７の奥側端面に形成される各貫通孔５６Ａ、５７Ａと各位置決め孔５６Ｂ、５７Ｂの左右方向内側に形成される各貫通孔５６Ａ、５７Ａと各位置決め孔５６Ｂ、５７Ｂに対向する位置に設けられている。また、各取付ボス６６、６７の裏側端面部には、左右方向内側に形成される各貫通孔５６Ａ、５７Ａに対向する位置に各ビス孔６６Ａ、６７Ａが形成され、左右方向内側に形成される各位置決め孔５６Ｂ、５７Ｂに対向する位置に各位置決め突起６６Ｂ、６７Ｂが形成されている。
【００２６】
また、各取付ボス６６、６７の下方には、装置本体５１の各貫通孔５８Ａ、５９Ａに対向する位置に、該取付ボス６６、６７とほぼ同じ高さ寸法を有する各取付ボス６８、６９が裏側方向に突設されている。この各取付ボス６８、６９の裏側端面部には、各ビス孔６８Ａ、６９Ａが形成されている。
【００２７】
また、各取付ボス６６、６７の左右方向外側には、各入賞口４５Ｃ、４５Ｄが前側に突設されて形成されている。また、この各入賞口４５Ｃ、４５Ｄの裏側面の下側及び左右方向外側には、装置本体５１の前面部に設けられる各ＬＥＤ６５、６５、６５、６５の先端部が挿入される断面略円形状の凹部７１、７１、７１、７１が前側に突出して形成されている。
【００２８】
また、開口部４５Ｂの前面部には断面略Ｌ字状の案内部７２が設けられ、各入賞口４５Ｃ、４５Ｄの内側斜面を転動落下してきたパチンコ球を開口部４５Ｂに案内する案内路を形成している。また、この案内部７２の底面中央部には、パチンコ球が通過する略四角形の開口部が形成され、第２始動口３８が閉鎖された場合に、パチンコ球が下側に落下するようになっている。
【００２９】
また、第１取付基板４５の上端縁部及び下端縁部の左右両端部には、遊技盤２の表面にビス等で取り付けるための各貫通孔７３、７４、７５、７６が穿設されている。また、第１取付基板４５の裏面には、各貫通孔７３、７４の下側の下端縁部に、各位置決め突起７７、７７が突設されている。
尚、各取付ボス６６、６７、６８、６９は、後述のように第１取付基板４５を装置本体５１の前面部に結合する結合部を構成する（図７、図８参照）。
【００３０】
次に、第２取付基板４７の概略構成について図６に基づいて説明する。図６は第１実施形態に係るパチンコ機１の第２特別入賞装置４６の前面部に取り付けられる第２取付基板４７の概略構成を示す図で、（Ａ）は上面図、（Ｂ）は正面図、（Ｃ）は背面図である。
図６に示すように、略板状の第２取付基板４７の中央部上側には、第１開閉扉３９が嵌め込まれる開口部４７Ａが開設され、この開口部４７Ａの下端縁部中央位置の下側には、第２開閉扉３７が嵌め込まれる開口部４７Ｂが開設されている。
また、第２取付基板４７の裏面側には、開口部４７Ａの下側角部の左右外側に、第１開閉扉３９の各回転支軸を押さえる押え部８１、８１が裏側方向に突設されている。
【００３１】
また、第２取付基板４７の裏面側には、開口部４７Ａの上側角部の左右外側に、装置本体５１の各凹部５６、５７の深さ寸法にほぼ等しい高寸法の各取付ボス８２、８３が裏側方向に突設されている。この各取付ボス８２、８３は、装置本体５１の各凹部５６、５７の奥側端面に形成される各貫通孔５６Ａ、５７Ａと各位置決め孔５６Ｂ、５７Ｂの左右方向外側に形成される各貫通孔５６Ａ、５７Ａと各位置決め孔５６Ｂ、５７Ｂに対向する位置に設けられている。また、各取付ボス８２、８３の裏側端面部には、左右方向外側に形成される各貫通孔５６Ａ、５７Ａに対向する位置に各ビス孔８２Ａ、８３Ａが形成され、左右方向外側に形成される各位置決め孔５６Ｂ、５７Ｂに対向する位置に各位置決め突起８２Ｂ、８３Ｂが形成されている。
【００３２】
また、各取付ボス８２、８３の下方には、装置本体５１の各貫通孔５８Ａ、５９Ａに対向する位置に、該取付ボス８２、８３とほぼ同じ高さ寸法を有する各取付ボス８４、８５が裏側方向に突設されている。この各取付ボス８４、８５の裏側端面部には、各ビス孔８４Ａ、８５Ａが形成されている。
【００３３】
また、各取付ボス８２、８３の左右方向外側には、各入賞口４７Ｃ、４７Ｄが前側に突設されて形成されている。また、この各入賞口４７Ｃ、４７Ｄの裏側面の下側及び左右方向外側には、装置本体５１の前面部に設けられる各ＬＥＤ６５、６５、６５、６５の先端部が挿入される断面略円形状の凹部８６、８６、８６、８６が前側に突出して形成されている。
【００３４】
また、開口部４７Ｂの前面部には断面略Ｌ字状の案内部８７が設けられ、各入賞口４７Ｃ、４７Ｄの内側斜面を転動落下してきたパチンコ球を開口部４５Ｂに案内する案内路を形成している。また、この案内部８７の底面中央部には、パチンコ球が通過する略四角形の開口部が形成され、第２始動口３８が閉鎖された場合に、パチンコ球が下側に落下するようになっている。
【００３５】
また、第２取付基板４７の左右両端部及び下端縁部の左右両端部には、遊技盤２の表面にビス等で取り付けるための各貫通孔８８、８９、９０、９１が穿設されている。また、第２取付基板４７の裏面には、各貫通孔８８、８９の下側の下端縁部に、各位置決め突起９２、９２が突設されている。
尚、各取付ボス８２、８３、８４、８５は、後述のように第２取付基板４７を装置本体５１の前面部に結合する結合部を構成する（図７、図８参照）。
【００３６】
次に、上記のように構成される各取付基板４５、４７の装置本体５１への取り付け、及び遊技盤２の表面への取り付けについて図７及び図８に基づいて説明する。図７は第１実施形態に係るパチンコ機１の第１及び第２特別入賞装置４１、４６の装置本体５１への第１及び第２取付基板４５、４７の取り付けを模式的に示す図である。図８は第１実施形態に係るパチンコ機１の第１及び第２特別入賞装置４１、４６の組み立て及び遊技盤２への取り付けを模式的に示す要部拡大断面図で、（Ａ）は第１特別入賞装置４１の場合、（Ｂ）は第２特別入賞装置４６の場合を示す要部拡大断面図である。
【００３７】
図７及び図８（Ａ）に示すように、第１特別入賞装置４１の組立は、先ず、第１取付基板４５の各取付ボス６６、６７を装置本体５１の前面側から各凹部５６、５７に挿入する。そして、各取付ボス６６、６７の先端部に形成される各位置決め突起６６Ｂ、６７Ｂを各凹部５６、５７の左右方向内側に形成される各位置決め孔５６Ｂ、５７Ｂに嵌入する。続いて、装置本体５１の各凹部５６、５７の左右方向内側に形成される各貫通孔５６Ａ、５７Ａに裏側からビスを挿入して、各取付ボス６６、６７をネジ止めする（破線矢印Ａ参照）。また、装置本体５１の各貫通孔５８Ａ、５９Ａに裏側からビスを挿入して、各取付ボス６８、６９をネジ止めする（破線矢印Ｂ参照）。これにより、第１取付基板４５が装置本体５１の前面部に固定されて第１特別入賞装置４１が構成される。
【００３８】
続いて、この第１特別入賞装置４１を遊技盤２の前側から第２開口部２Ａに挿入して、第１取付基板４５の裏面の周端縁部を遊技盤２の表面に当接させる（矢印Ｃ参照）。そして、第１取付基板４５の各貫通孔７３、７４、７５、７６に前側からビスを挿入して該第１特別入賞装置４１を遊技盤２の表面にビス止めする。これにより、第１特別入賞装置４１が遊技盤２の表面上に取り付けられる。
尚、第２開口部２Ａの上下方向及び左右方向の寸法は、ほぼ装置本体５１の上下方向及び左右方向の寸法よりも少し大きく形成されているが、第１取付基板４５の上下方向及び左右方向の寸法よりも小さく形成されている。
【００３９】
次に、図７及び図８（Ｂ）に示すように、第２特別入賞装置４６の組立は、先ず、第２取付基板４７の各取付ボス８２、８３を装置本体５１の前面側から各凹部５６、５７に挿入する。そして、各取付ボス８２、８３の先端部に形成される各位置決め突起８２Ｂ、８７Ｂを各凹部５６、５７の左右方向外側に形成される各位置決め孔５６Ｂ、５７Ｂに嵌入する。続いて、装置本体５１の各凹部５６、５７の左右方向外側に形成される各貫通孔５６Ａ、５７Ａに裏側からビスを挿入して、各取付ボス８２、８３をネジ止めする（破線矢印Ｄ参照）。また、装置本体５１の各貫通孔５８Ａ、５９Ａに裏側からビスを挿入して、各取付ボス８４、８５をネジ止めする（破線矢印Ｅ参照）。これにより、第２取付基板４７が装置本体５１の前面部に固定されて第２特別入賞装置４６が構成される。
【００４０】
続いて、この第２特別入賞装置４６を遊技盤２の前側から第２開口部２Ａに挿入して、第２取付基板４７の裏面の周端縁部を遊技盤２の表面に当接させる（矢印Ｆ参照）。そして、第２取付基板４７の各貫通孔８８、８９、９０、９１に前側からビスを挿入して該第２特別入賞装置４６を遊技盤２の表面にビス止めする。これにより、第２特別入賞装置４６が遊技盤２の表面上に取り付けられる。
尚、第２開口部２Ａの上下方向及び左右方向の寸法は、ほぼ装置本体５１の上下方向及び左右方向の寸法よりも少し大きく形成されているが、第２取付基板４７の上下方向及び左右方向の寸法よりも小さく形成されている。
【００４１】
以上詳細に説明した通り第１実施形態に係るパチンコ機１では、第１取付基板４５の各取付ボス６６、６７、６８、６９または第２取付基板４７の各取付ボス８２、８３、８４、８５を装置本体５１の前面側から各貫通孔５６Ａ（内側）、５７Ａ（内側）、５８Ａ、５９Ａまたは各貫通孔５６Ａ（外側）、５７Ａ（外側）、５８Ａ、５９Ａにビス止め等により取り付けることによって第１特別入賞装置４１または第２特別入賞装置４６を構成することができる。即ち、各取付基板４５、４７は、各取付ボス６６、６７、６８、６９、８２、８３、８４、８５を介して装置本体５１の前面部に取り付けられる。
【００４２】
したがって、装置本体５１の前面側には、異なる各取付基板４５、４７を取付けるための各凹部５６、５７の奥側端面に形成される複数の貫通孔５６Ａ、５６Ａ、５７Ａ、５７Ａ、５８Ａ、５９Ａが設けられ、第１及び第２取付基板４５、４７の裏側には、この複数の貫通孔５６Ａ、５６Ａ、５７Ａ、５７Ａ、５８Ａ、５９Ａの内のいずれかに結合される各取付ボス６６、６７、６８、６９、８２、８３、８４、８５が設けられるため、該第１及び第２取付基板４５、４７の裏面に設けられる各取付ボス６６、６７、６８、６９、８２、８３、８４、８５の設計変更が容易に行え、装置本体５１の共通化を図ると共に、各取付基板４５、４７の設計変更を容易に行うことができ、更なるパチンコ機１の製造コストの削減化を図ることができる。
また、装置本体５１の前面側投影面の大きさを、前記各取付基板４５、４７の裏面側投影面よりも小さく構成することにより、装置本体５１に各取付基板４５、４７を取り付けて各特別入賞装置４１、４６を組立後、遊技盤２の前面側から該各特別入賞装置４１、４６を取り付けることができ、各特別入賞装置４１、４６の遊技盤２への取り付け作業の容易化、及び効率化を図ることができる。
【００４３】
次に、第２実施形態に係るパチンコ機について説明する。第２実施形態に係るパチンコ機の概略構成は、第１実施形態に係るパチンコ機１とほぼ同じ構成である。但し、第２実施形態に係るパチンコ機の第３特別入賞装置の構成は、後述のように第１実施形態に係る第１特別入賞装置４１の構成と異なっている。尚、この第３特別入賞装置は、上記装置本体５１と第３取付基板９５（図９参照）とから構成されている。
【００４４】
ここで、第２実施形態に係る第３特別入賞装置の構成について図９乃至図１１に基づいて説明する。
先ず、第３特別入賞装置を構成する第３取付基板９５の構成について図９に基づいて説明する。図９は第２実施形態に係るパチンコ機の第３特別入賞装置を構成する第３取付基板９５の構成を示す図で、（Ａ）は上面図、（Ｂ）は背面図である。
図９に示すように、第３取付基板９５の構成は、第１取付基板４５の構成とほぼ同じ構成である。但し、第１取付基板４５の各取付ボス６８、６９に替えて各取付ボス９６、９７が各取付ボス６６、６７よりも左右水平方向外側の位置に裏側方向へ突設されている。この各取付ボス９６、９７の裏側端面部には、各ビス孔９６Ａ、９７Ａが形成されている。
尚、各取付ボス６６、６７は、後述のように第３取付基板９５を装置本体５１の前面部に結合する結合部を構成する（図１１参照）。また、各取付ボス９６、９７は、後述のように取付部材１０（図１０参照）に結合される取付部材結合部を構成する（図１１参照）。
【００４５】
次に、この第３取付基板９５を装置本体５１に取り付けるために該第３取付基板９５と装置本体５１との間に装着される取付部材について図１０に基づいて説明する。図１０は第２実施形態に係るパチンコ機の第３特別入賞装置を構成する第３取付基板９５と装置本体５１との間に装着される取付部材の構成を示す図で、（Ａ）は上面図、（Ｂ）は正面図である。
図１０に示すように、取付部材９９は、各取付ボス９６、９７の外径よりも少し大きい内径の略円筒状のボス挿入部１００と、このボス挿入部１００の一方の端面部から軸方向直角に所定長さ延出される長四角形の板状の延出部１０１と、この延出部１０１の端縁部にボス挿入部１００と略平行に垂設されて、軸心上にビス孔が貫通されると共に、各取付ボス９６、９７の外径とほぼ等しい外径の略円筒状の取付ボス１０２とから構成されている。また、このボス挿入部１００と取付ボス１０２との軸間距離は、各取付ボス９６、９７と上記第１取付基板４５の各取付ボス６８、６９との軸間距離にほぼ等しく形成されている。また、ボス挿入部１００の他方の端面部は閉塞され、中心部にビス孔が穿設されている。
尚、ボス挿入部１００は、第３取付基板９５の各取付ボス９６、９７が取り付けられる基板取付部を構成する（図１１参照）。
【００４６】
次に、第３特別入賞装置の組み立てについて図１１に基づいて説明する。図１１は第２実施形態に係るパチンコ機１の第３特別入賞装置の装置本体５１への第３取付基板９５の取り付けを模式的に示す図である。
図１１に示すように、第３特別入賞装置１０５の組み立ては、先ず、第３取付基板９５の取付ボス９６に取付部材９９のボス挿入部１００を嵌挿し、該ボス挿入部１００の他方の端面からビスを挿入して、取付ボス１０２が左右水平方向内側（図１１中、水平方向右側）に位置するようにビス止めする。続いて、同様に取付ボス９７に取付部材９９のボス挿入部１００を嵌挿し、該ボス挿入部１００の他方の端面からビスを挿入して、取付ボス１０２が左右水平方向内側（図１１中、水平方向左側）に位置するようにビス止めする。
そして、第３取付基板９５の各取付ボス６６、６７を装置本体５１の前面側から各凹部５６、５７に挿入する。そして、各取付ボス６６、６７の先端部に形成される各位置決め突起６６Ｂ、６７Ｂを各凹部５６、５７の左右方向内側に形成される各位置決め孔５６Ｂ、５７Ｂに嵌入する。続いて、装置本体５１の各凹部５６、５７の左右方向内側に形成される各貫通孔５６Ａ、５７Ａに裏側からビスを挿入して、各取付ボス６６、６７をネジ止めする（破線矢印Ｇ参照）。また、装置本体５１の各貫通孔５８Ａ、５９Ａに裏側からビスを挿入して、各取付ボス１０２、１０２をネジ止めする（破線矢印Ｈ参照）。これにより、第３取付基板９５が装置本体５１の前面部に固定されて第３特別入賞装置１０５が構成される。
【００４７】
続いて、この第３特別入賞装置１０５を遊技盤２の前側から第２開口部２Ａに挿入して（図８参照）、第３取付基板９５の裏面の周端縁部を遊技盤２の表面に当接させる。そして、第３取付基板９５の各貫通孔７３、７４、７５、７６に前側からビスを挿入して該第３特別入賞装置９５を遊技盤２の表面にビス止めする。これにより、第３特別入賞装置９５が遊技盤２の表面上に取り付けられる。
尚、第２開口部２Ａの上下方向及び左右方向の寸法は、ほぼ装置本体５１の上下方向及び左右方向の寸法よりも少し大きく形成されているが、第３取付基板９５の上下方向及び左右方向の寸法よりも小さく形成されている。
【００４８】
以上詳細に説明した通り第２実施形態に係るパチンコ機では、先ず、第３取付基板９５の各取付ボス９６、９７に取付部材９９、９９を装着する。そして、各取付ボス６６、６７、１０２、１０２を装置本体５１の前面側から各貫通孔５６Ａ（内側）、５７Ａ（内側）、５８Ａ、５９Ａにビス止め等により取り付けることによって第３特別入賞装置１０５を構成することができる。即ち、第３取付基板９５は、各取付ボス６６、６７及び各取付部材９９、９９を介して装置本体５１の前面部に取り付けられる。
【００４９】
したがって、この各取付部材９９、９９を設計変更することによって、同一装置本体５１に異なる取付基板を取り付けることが可能となるため、取付基板の裏面の取り付け部分の設計変更が容易に行え、装置本体５１の共通化を図ると共に、取付基板の設計変更を更に容易に行うことができ、更なるパチンコ機の製造コストの削減化を図ることができる。
また、装置本体５１の前面側には、各凹部５６、５７の奥側端面に形成される複数の貫通孔５６Ａ、５６Ａ、５７Ａ、５７Ａ、５８Ａ、５９Ａが設けられ、この複数の貫通孔５６Ａ、５６Ａ、５７Ａ、５７Ａ、５８Ａ、５９Ａの内のいずれかに結合される取付ボスを第３取付基板９５及び各取付部材９９、９９の裏側に設けることによって第３特別入賞装置１０５を構成できるため、第３取付基板９５の設計変更を容易に行うことができ、更なるパチンコ機の製造コストの削減化を図ることができる。
更に、装置本体５１の前面側投影面の大きさを、第３取付基板９５の裏面側投影面よりも小さく構成することにより、装置本体５１に第３取付基板９５を取り付けて第３特別入賞装置１０５を組立後、遊技盤２の前面側から該第３特別入賞装置１０５を取り付けることができ、第３特別入賞装置１０５の遊技盤２への取り付け作業の容易化、及び効率化を図ることができる。
【００５０】
尚、本発明は、前記第１及び第２実施形態に限定されるものではなく、本発明の要旨を逸脱しない範囲内で種々の改良、変形が可能であることは勿論である。
【符号の説明】
【００５１】
１                    パチンコ機
２                    遊技盤
２Ａ                  第２開口部
３７                  第２開閉扉
３９                  第１開閉扉
４０                  大入賞口
４１、４６、１０５    特別入賞装置
４５                  第１取付基板
４７                  第２取付基板
５１                  装置本体
９５                  第３取付基板
９９                  取付部材
【図１】
0004399535.tif 000002
【図２】
0004399535.tif 000003
【図３】
0004399535.tif 000004
【図４】
0004399535.tif 000005
【図５】
0004399535.tif 000006
【図６】
0004399535.tif 000007
【図７】
0004399535.tif 000008
【図８】
0004399535.tif 000009
【図９】
0004399535.tif 000010
【図１０】
0004399535.tif 000011
【図１１】
0004399535.tif 000012